(57)【要約】【課題】本発明は、分解または取り替えることが容易であるＬＥＤモジュール及びＬＥＤライトバーの固定装置を提供する。【解決手段】本発明に係るＬＥＤモジュールは、ＬＥＤライトバー及びＬＥＤライトバーを固定する固定装置を備え、ＬＥＤライトバーは、支持板及び前記支持板に設置される少なくとも１つの発光素子を備え、支持板には、２つの側辺それぞれから外へ延伸する嵌合部が形成され、固定装置は、ＬＥＤライトバーを設置するための基板及び前記基板に設置され且つ２つの嵌合部を固定するための２つの固定部材を備え、２つの固定部材における少なくとも１つは、締め具であり、締め具は、対向する連接壁及び固定壁と、一端が前記連接壁に枢設されるロックアームと、を備え、連接壁及び固定壁は、嵌合部を収容する収容空間を形成し、ロックアームの自由端が固定壁と係合することによって嵌合部を収容空間に固定させる。【選択図】図１
2013149410.tif 000002
【特許請求の範囲】
【請求項１】
ＬＥＤライトバー及び前記ＬＥＤライトバーを固定する固定装置を備えるＬＥＤモジュールであって、
前記ＬＥＤライトバーは、支持板及び前記支持板に設置される少なくとも１つの発光素子を備え、前記支持板には、２つの側辺それぞれから外へ延伸する嵌合部が形成され、
前記固定装置は、前記ＬＥＤライトバーを設置するための基板及び前記基板に設置され且つ前記２つの嵌合部を固定するための２つの固定部材を備え、
前記２つの固定部材における少なくとも１つは、締め具であり、前記締め具は、対向する連接壁及び固定壁と、一端が前記連接壁に枢設されるロックアームと、を備え、前記連接壁及び前記固定壁は、前記嵌合部を収容する収容空間を形成し、前記ロックアームの自由端が前記固定壁と係合することによって前記嵌合部を前記収容空間に固定させることを特徴とするＬＥＤモジュール。
【請求項２】
前記２つの固定部材における１つは、取り付け具であり、前記取り付け具は、前記基板に互いに離間して固定される第一底板及び第二底板と、それぞれ前記第一底板及び前記第二底板から上へ垂直に延伸する第一側板と第二側板と、前記第一側板及び前記第二側板を連接させる頂板と、を備え、前記第一側板及び前記第二側板には、前記嵌合部を挿設するための貫通孔がそれぞれ設けられることを特徴とする請求項１に記載のＬＥＤモジュール。
【請求項３】
前記ロックアームの両側それぞれには、前記嵌合部を押圧するためのシート状の押圧部が形成されることを特徴とする請求項１または２に記載のＬＥＤモジュール。
【請求項４】
ＬＥＤライトバーを固定するために用いられるＬＥＤライトバーの固定装置であって、
前記ＬＥＤライトバーは、支持板及び前記支持板に設置される少なくとも１つの発光素子を備え、前記支持板には、２つの側辺それぞれから外へ延伸する嵌合部が形成され、
前記固定装置は、前記ＬＥＤライトバーを設置するための基板及び前記基板に設置され且つ前記２つの嵌合部を固定するための２つの固定部材を備え、
前記２つの固定部材における少なくとも１つは、締め具であり、前記締め具は、対向する連接壁及び固定壁と一端が前記連接壁に枢設されるロックアームとを備え、前記連接壁及び前記固定壁は、前記嵌合部を収容する収容空間を形成し、前記ロックアームの自由端が前記固定壁と係合することによって前記嵌合部を前記収容空間に固定させることを特徴とするＬＥＤライトバーの固定装置。
【発明の詳細な説明】
【技術分野】
【０００１】
本発明は、照明装置に関し、特にＬＥＤモジュール及びＬＥＤライトバーの固定装置に関するものである。
【背景技術】
【０００２】
ＬＥＤは、電流を特定の波長の光に転換できる半導体素子からできており、高輝度、低駆動電圧、低消費電力、長寿命である等の利点を有することから、従来の蛍光灯或いは白熱灯に代わって、ランプの光源として、現在広く利用されている。
【０００３】
従来のＬＥＤモジュールは、基板と、ネジまたは接着剤によって前記基板に固定されるＬＥＤライトバーと、を備える。しかし、このような固定方法は、前記ＬＥＤライトバーの分解や取り替えに、実に不便である。
【発明の概要】
【発明が解決しようとする課題】
【０００４】
前記課題を解決するために、本発明は、分解または取り替えが容易であるＬＥＤモジュール及びＬＥＤライトバーの固定装置を提供する。
【課題を解決するための手段】
【０００５】
本発明に係るＬＥＤモジュールは、ＬＥＤライトバー及びＬＥＤライトバーを固定する固定装置を備え、前記ＬＥＤライトバーは、支持板及び前記支持板に設置される少なくとも１つの発光素子を備え、前記支持板には、２つの側辺それぞれから外へ延伸する嵌合部が形成され、前記固定装置は、前記ＬＥＤライトバーを設置するための基板及び前記基板に設置され且つ前記２つの嵌合部を固定するための２つの固定部材を備え、前記２つの固定部材における少なくとも１つは、締め具であり、前記締め具は、対向する連接壁及び固定壁と、一端が前記連接壁に枢設されるロックアームと、を備え、前記連接壁及び前記固定壁は、前記嵌合部を収容する収容空間を形成し、前記ロックアームの自由端が前記固定壁と係合することによって前記嵌合部を前記収容空間に固定させる。
【０００６】
本発明に係るＬＥＤライトバーの固定装置は、ＬＥＤライトバーを固定するために用いられ、前記ＬＥＤライトバーは、支持板及び前記支持板に設置される少なくとも１つの発光素子を備え、前記支持板には、２つの側辺それぞれから外へ延伸する嵌合部が形成され、前記固定装置は、前記ＬＥＤライトバーを設置するための基板及び前記基板に設置され且つ前記２つの嵌合部を固定するための２つの固定部材を備え、前記２つの固定部材における少なくとも１つは、締め具であり、前記締め具は、対向する連接壁及び固定壁と、一端が前記連接壁に枢設されるロックアームと、を備え、前記連接壁及び前記固定壁は、前記嵌合部を収容する収容空間を形成し、前記ロックアームの自由端が前記固定壁と係合することによって前記嵌合部を前記収容空間に固定させる。
【発明の効果】
【０００７】
従来の技術と比べると、本発明に係るＬＥＤモジュールにおいて、締め具のロックアームは、締め具が連接壁に枢設され、且つ、前記締め具が固定壁と係合するので、容易にロックアームを解放することができ、従って、ＬＥＤライトバーの分解や取り替えが容易である。
【図面の簡単な説明】
【０００８】
【図１】本発明の実施形態に係るＬＥＤモジュールの分解図である。
【図２】図１に示したＬＥＤモジュールのＬＥＤライトバーの分解図である。
【図３】図１に示した取り付け具とＬＥＤライトバーの第一嵌合部との組立図である。
【図４】図１に示した締め具とＬＥＤライトバーの第二嵌合部との組立図である。
【図５】図１に示した固定装置の締め具が解放された状態を示す図である。
【発明を実施するための形態】
【０００９】
以下、図面を参照して、本発明の実施形態について説明する。
【００１０】
図１を参照すると、本発明の実施例に係るＬＥＤモジュール１００は、ＬＥＤライトバー１０及び前記ＬＥＤライトバー１０を固定するための固定装置２０を備える。
【００１１】
図２を参照すると、前記ＬＥＤライトバー１０は、支持板１１と、前記支持板１１に設置される絶縁熱伝導板１３と、前記絶縁熱伝導板１３に設置される電気回路板１５と、前記電気回路板１５に設置される複数の発光素子１２と、を備える。前記支持板１１は、長方形の板状を呈し、長方形の本体部１１０と、前記本体部１１０の長手方向に沿う２つの側辺１１１と、前記本体部１１０の短手方向に沿う２つの側辺１１２と、前記２つの側辺１１２からそれぞれ外へ延伸する第一嵌合部１１２ａ及び第二嵌合部１１２ｂと、を備える。前記第一嵌合部１１２ａ及び第二嵌合部１１２ｂは、舌状を呈し、前記本体部１１０から支持板１１に向かって本体部１１０に対して垂直に延在し、次いで本体部１１０から離れた方向に向かって水平に延在する。前記発光素子１２は、互いに離間して等間隔に前記電気回路板１５に直線状に配列される。本実施例において、前記発光素子１２は、発光ダイオードである。前記支持板１１の形状は、本実施例の長方形に限定されるものではなく、正方形であることもできる。また前記第一嵌合部１１２ａ及び第二嵌合部１１２ｂは、前記支持板１１の側辺１１２に設置されることに限定されるものではなく、前記支持板１１の側辺１１１に設置することもできる。
【００１２】
前記固定装置２０は、基板２１と、前記基板２１の両端に設置される取り付け具２２及び締め具２３と、を備える。
【００１３】
図３を参照すると、前記取り付け具２２は、前記基板２１に、互いに離間して固定される第一底板２２１及び第二底板２２５と、それぞれ前記第一底板２２１及び第二底板２２５から上へ垂直に延伸する第一側板２２２と第二側板２２４と、前記第一側板２２２及び第二側板２２４を連接させる頂板２２３と、を備える。前記第一側板２２２及び第二側板２２４の長手方向中央部には、前記支持板１１の第一嵌合部１１２ａを挿設するための細長い第一貫通孔２２２ａ及び第二貫通孔２２４ａがそれぞれ設けられている。本実施例において、前記第一貫通孔２２２ａの縦幅と前記第一嵌合部１１２ａの縦幅は、ほぼ同じであり、前記第一貫通孔２２２ａは、前記第一嵌合部１１２ａの前記支持板１１の側辺１１２に平行な運動及び前記支持板１１に垂直な運動を制限する。前記第二貫通孔２２４ａと前記第一貫通孔２２２ａとは、サイズが同じであり、前記第二貫通孔２２４ａは、別のＬＥＤライトバー１０の第一嵌合部１１２ａ或いは第二嵌合部１１２ｂを挿設するために用いられる。
【００１４】
図４及び図５を参照すると、前記締め具２３は、ベース２３１及び前記ベース２３１の片側に連接するロックアーム２３４を備える。前記ベース２３１の両側には、上へ延伸する連接壁２３２及び固定壁２３３が形成され、前記ベース２３１、前記連接壁２３２及び前記固定壁２３３は、前記支持板１１の第二嵌合部１１２ｂを収容する収容空間２３８を形成し、前記ベース２３１には、前記連接壁２３２から固定壁２３３まで、前記ベース２３１と前記支持板１１の第二嵌合部１１２ｂとの摩擦力を増大させるための複数のキャビティ２３９が設けられる。前記ロックアーム２３４は、前記ベース２３１の連接壁２３２における長手方向中央部に枢設され、前記ロックアーム２３４の自由端は、前記ベース２３１の固定壁２３３と係合する。前記固定壁２３３の外側面には、外側へ延伸する第一突起２３５及び前記第一突起２３５の両側に位置する第二突起２３６が形成される。前記第一突起２３５は、楔型を呈し、前記第一突起２３５の厚さは、前記固定壁２３３の頂部に近い一端から前記固定壁２３３の中央部に向かって次第に大きくなる。各前記第二突起２３６は、台形状を呈し、前記第一突起２３５と離間して設置され、各第二突起２３６の前記第一突起２３５側に面する側面には、前記第一突起２３５の下方に向かって傾斜するガイド面が形成される。前記ロックアーム２３４の両側には、前記ベース２３１へ延伸するシート状の押圧部２３４ｂがそれぞれ形成される。前記ロックアーム２３４の自由端の前記ベース２３１に向かう一端には、前記ロックアーム２３４と垂直になるように延伸するフック部２３４ａが形成され、前記フック部２３４ａの内側には、前記第一突起２３５と係合するための収容スロット２７０が設けられる。
【００１５】
前記ＬＥＤライトバー１０を前記固定装置２０の基板２１に装着する際、先ず前記ＬＥＤライトバー１０の支持板１１の一端の第一嵌合部１１２ａを、前記基板２１に固定された取り付け具２２の第一貫通孔２２２ａに挿し込んだ後、前記支持板１１の他端の第二嵌合部１１２ｂを前記締め具２３のベース２３１に載置する。次に、前記締め具２３のロックアーム２３４を回転させて前記第二嵌合部１１２ｂを押圧し、前記フック部２３４ａと前記第一突起２３５とを係合させることによって固定する。前記ロックアーム２３４の押圧部２３４ｂは、前記支持板１１の第二嵌合部１１２ｂを押圧し、従って、ＬＥＤライトバー１０を固定する。
【００１６】
他の実施例において、前記ＬＥＤライトバー１０の両端は、２つの前記締め具２３によって固定することもできる。
【００１７】
本実施例に係るＬＥＤモジュールにおいて、前記ＬＥＤライトバーの両端は、固定装置２０の取り付け具２２及び締め具２３によってそれぞれ固定される。前記締め具２３のベース２３１に設置されるロックアーム２３４は、前記締め具２３の連接壁２３２に枢設され、且つ、前記締め具２３の固定壁２３３と係合するので、容易にロックアーム２３４を解放することが可能であり、従って、ＬＥＤライトバーの分解または取り替えに便利である。
【符号の説明】
【００１８】
１００  ＬＥＤモジュール
１０  ＬＥＤライトバー
１１  支持板
１３  絶縁熱伝導板
１５  電気回路板
１１０  本体部
１１１、１１２  側辺
１１２ａ  第一嵌合部
１１２ｂ  第二嵌合部
１２  発光素子
２０  固定装置
２１  基板
２２  取り付け具
２２１  第一底板
２２２  第一側板
２２３  頂板
２２４  第二側板
２２５  第二底板
２２２ａ  第一貫通孔
２２４ａ  第二貫通孔
２３  締め具
２３１  ベース
２３２  連接壁
２３３  固定壁
２３４  ロックアーム
２３５  第一突起
２３６  第二突起
２３８  収容空間
２３９  キャビティ
２３４ａ  フック部
２３４ｂ  押圧部
２７０  収容スロット
【図１】
2013149410.tif 000003
【図２】
2013149410.tif 000004
【図３】
2013149410.tif 000005
【図４】
2013149410.tif 000006
【図５】
2013149410.tif 000007